(57)【要約】【課題】雨天時下で十分な防水性を有し、不用意な操作で防水性を損なわず、自転車を利用する際にも好適な小物収納用防水ケースの提供。【解決手段】上端に開口部（１０１）を備える袋状の防水ケース本体（１０）を備え、該防水ケース本体（１０）の上部を折返して開口部（１０１）を閉塞する小物収納用防水ケースにおいて、防水ケース本体（１０）の折返し部（１０２）を幅方向に捲着固定するケース閉塞帯（１１）と、前記ケース閉塞帯（１１）を固定する重着帯（１２）とを備えたことを特徴とする小物収納用防水ケース１を解決手段とする。【選択図】  図２０
2006327437.tif 000002
【特許請求の範囲】
【請求項１】
上端に開口部を備える袋状の防水ケース本体を備え、該防水ケース本体の上部を折返して開口部を閉塞する小物収納用防水ケースにおいて、
防水ケース本体の折返し部を幅方向に捲着固定するケース閉塞帯と、
前記ケース閉塞帯を固定する重着帯とを備えたことを特徴とする小物収納用防水ケース。
【請求項２】
ケース閉塞帯は、捲着時外側となる面に雌面ファスナー若しくはパイル生地を備え、該ケース閉塞帯の先端であって捲着時内側となる面に雄面ファスナーを備え、ケース閉塞帯に対して当接する重着帯の先端の当接面に雄面ファスナーを備え、
ケース閉塞帯と重着帯とが略直交するように配して、前記ケース閉塞帯の他端である基端と重着帯の基端とを重合してケース本体の上部に取付けたことを特徴とする請求項１記載の小物収納用防水ケース。
【請求項３】
防水ケース本体の開口部幅は、ケース内幅より小さくしたことを特徴とする請求項１又は２記載の小物収納用防水ケース。
【請求項４】
両端に雄面ファスナーを設けた把手帯を備え、捲着状態のケース閉塞帯の雌面ファスナー若しくはパイル地に対して前記両端の雄面ファスナーを係脱自在としたことを特徴とする請求項１、２又は３記載の小物収納用防水ケース。
【請求項５】
両端に雄面ファスナーを有する固定帯を用いて、請求項１乃至請求項４記載の小物収納用防水ケースの自転車に対する取付構造であって、
トップチューブとダウンチューブとの間に小物収納用防水ケースを配し、防水ケース本体の上部を折返し、ケース閉塞帯をトップチューブ又はダウンチューブの何れか一方を巻き込んで、防水ケース本体の上部を幅方向に捲着固定し、重着帯でケース閉塞帯を固定し、
両端に雄面ファスナーを有する固定帯を、前記ダウンチューブ又はトップチューブの何れか他方を巻き込んで、当該固定帯の両端をケース閉塞帯の雌面ファスナー若しくはパイル地に係着することを特徴とする小物収納用防水ケースの自転車に対する取付構造。
【請求項６】
固定帯は把手帯とすることを特徴とする請求項５記載の小物収納用防水ケースの自転車に対する取付構造。
【発明の詳細な説明】
【技術分野】
【０００１】
本発明は、小物を収納するとともに、雨に対する防水性を備えた小物収納用防水ケースと、該小物収納用防水ケースの自転車に対する取付構造に関する。
【背景技術】
【０００２】
近年、携帯オーディオビジュアル機器、携帯電話、デジタルカメラ、小型の電子記録媒体等が広く普及している。これらの小物類は、屋外に持ち出して使用することが非常に多いことから、雨に対する防水性が要求される。しかし、これらの小物類は精密機器であり、防水性については実際のところ一定の限界がある。このため、小物類自体の防水性を補うべく、防水性を備えた種々の小物収納用防水ケースが発明されている。
【０００３】
例えば、熱可塑性合成繊維製不織布を材質とする袋体部及び開口部からなる袋であって、裏面に対不織布融着性シートを固定した雌雄一組の熱可塑性樹脂製面ファスナーテープを、開口部の封口用舌片部（いわゆるフラップ）及び袋体部の該封口用舌片部に対向する袋体部の開口縁に、雌雄それぞれの前記面ファスナーテープが前記対不織布融着性シートを介して対向するように配して融着固定してなることを特徴とする小物入れ袋（例えば、特許文献１参照。）が公知である。
【０００４】
また、使用者が小物を身体に携帯するための携帯用防水ケースであって、一方を開口して開口部とした袋状のケース本体と、このケース本体の開口部から一定間隔入り込んだ位置に形成した前記小物の収納部と、この収納部に隣接して設けた空気室と、前記ケース本体の外側に設けた携帯手段と、前記開口部から前記収納部までの位置には、前記収納部の内部に水の浸入を防止するための防水機構を有し、前記空気室に空気を入れることで、前記収納部に収納した小物を、前記ケース本体の一方面に押圧して保持することを特徴とする携帯用防水ケース（例えば、特許文献２参照。）が公知である。
【０００５】
【特許文献１】特開２００２−２４０８３５号公報
【特許文献２】実用新案登録第３０６９５６３号公報
【発明の開示】
【発明が解決しようとする課題】
【０００６】
上記特許文献１に係る発明は、素材として軟質製フィルムを用いた場合には、防水性を備えることができる旨を開示している（特許文献１中段落００１０）。当該開示のように、軟質製フィルムを用いた場合には、雨等に濡れた場合にフィルムが撥水性を有することで、防水効果を得ることは可能と考えられる。
【０００７】
しかしながら、当該構成では、封口用舌片部の雄面ファスナーテープと、表不織布シート上の雌面ファスナーテープとを係着させる構成であることから、封口用舌片部と左右の襠との隙間からの雨水の浸入を阻止することができず、雨天時における十分な防水性を発揮することができないものであった。
【０００８】
次に、上記特許文献２に係る考案は、上端に開口部を備える袋状の防水ケース本体を備え、該防水ケース本体の上部を折返して開口部を閉塞する構成であり、本発明とは異なり水中での使用を前提とした防水性を備えたものである。また、携帯手段（ストラップ）を備えることで携帯性を有している。そして、上記考案においては、当該特許文献２中段落００３４に記載のように、開口部から収納部までの位置の防止機構と、携帯手段の設けられている位置が異なることで、携帯手段が引っ張られても開口部が開口する方向に力がかかることがない旨が開示されている。
【０００９】
しかしながら、一方で、携帯手段が面ファスナーテープを有する舌片と連結されているため、携帯手段を倒すと、舌片が携帯手段に引っ張られて雌雄の面ファスナーテープが離脱する虞がある。この雌雄の面ファスナーテープが離脱すると、開口部が開いた状態となり、防水性は損なわれる。収容される小物が大きいほどケース本体の生地が張った状態となり、伸縮性に余裕がなくなることで、雌雄の面ファスナーテープが離脱しやすくなる。
【００１０】
ところで、小物類を屋外に持ち出す際に、一般的な交通手段として自転車を利用する場合や、モトクロス等のスポーツとして自転車を利用する場合がある。ここで、当該小物類を特許文献１に係る防水ケースに収納して一般的な自転車の籠に入れると、籠の網目が大きい場合や走行時の振動が大きい場合には籠から落下することがある。モトクロス等においては、小物類を安全に携帯すること自体が難しい上に、十分に整地されていない場所等を走行することで生じた大きな振動によって落下する虞がある。
【００１１】
また、特許文献２に係る考案は、携帯手段としてストラップを有し、通常上着やズボン等に携帯するものであるが、自転車を運転する際には、上着やズボン等に携帯することが運転の妨げとなることがあり、自転車側に保持しておく方が、運転の負担が減り、好都合である。
【００１２】
更に、近年の自転車のヘッドライトは、バッテリを用いた点灯方式のライトが増加し、視認性向上のための種々のライト等が広く流通している。このようなバッテリを用いた点灯方式のライトを採用した場合、バッテリが雨に濡れることで漏電や起電力の低下等を招来する虞がある。
【００１３】
本発明は、以上の事情に鑑みてなされたものであり、雨天時において十分な防水性を有するとともに、不用意な操作で防水性を損なうこともなく、更には、雨天時に自転車を利用する際にも好適な小物収納用防水ケースを提供することを、課題とするものである。
【課題を解決するための手段】
【００１４】
上端に開口部を備える袋状の防水ケース本体を備え、該防水ケース本体の上部を折返して開口部を閉塞する小物収納ケースにおいて、防水ケース本体の上部を折り返して形成される折返し部１０２を幅方向に捲着するケース閉塞帯と、防水ケース本体の縦方向に捲着する重着帯とを備え、前記ケース閉塞帯と重着帯とが捲着状態において相互の係着手段で係着することを特徴とする小物収納用防水ケースを、課題を解決するための手段とする。
【発明の効果】
【００１５】
本発明によれば、上記のように、上端に開口部を備える袋状の防水ケース本体を備え、該防水ケース本体の上部を折返して開口部を閉塞する小物収納ケースにおいて、防水ケース本体の折り返した上部を幅方向に捲着固定するケース閉塞帯と、前記ケース閉塞帯を固定する重着帯とを備えたことから、ケース本体の上部の折返し方向に直交してケース閉塞帯を設けることで、ケース本体の開口部が解放されることを防止し、更に、ケース閉塞帯を固定する重着帯でケース閉塞帯自体の外れを防止するため、非常に強固に開口部を閉塞することができ、精密機器やバッテリ等に対する雨天時の十分な防水性を確保することができる。
【００１６】
また、請求項２に記載したように、ケース閉塞帯の捲着時外側となる面に雌面ファスナー若しくはパイル地を備え、該ケース閉塞帯の先端であって捲着時内側となる面に雄面ファスナーを備え、ケース閉塞帯に対して当接する重着帯の先端の当接面に雄面ファスナーを備え、ケース閉塞帯と重着帯とが略直交するように配して、前記ケース閉塞帯の他端と重着帯の基端とを重合してケース本体の上部に取付ける構成とすることによって、ケース閉塞帯と重着帯とを一度に縫着手段等で固定することができ、製造工程における作業性向上を図ることができる。
【００１７】
また、同構成によって、ケース閉塞帯と重着帯とが異なる方向に延設されることとなるから、開口状態においてもケース閉塞帯と重着帯とが相互に縺れることもなく、快適に使用することができる。
【００１８】
請求項３に記載したように、防水ケース本体の開口部幅をケース内幅より小さく形成することによって、上部を折り返す際に、折り返しラインが底部の輪郭線と平行にならなくても、折り返された開口部が防水ケース本体の側方（正面視における側部の輪郭線）からはみ出すことがなく、外部からの水分の浸入を極力阻止し、防水性を高めることができる。
【００１９】
請求項４に記載したように、両端に雄面ファスナーを設けた把手帯を備え、捲着状態のケース閉塞帯の雌面ファスナー若しくはパイル地に対して前記両端の雄面ファスナーを係脱自在としたことによって、上記請求項１乃至３の発明の効果を備えた上で、携帯性を向上させることができる。そして、把手帯は係脱自在とすることによって、後記請求項６記載の発明のように、自転車に対する取付構造における固定帯として使用することができる。
【００２０】
請求項５に記載したように、両端に雄面ファスナーを有する固定帯を用いて、請求項１乃至請求項４記載の小物収納用防水ケースの自転車に対する取付構造であって、トップチューブとダウンチューブとの間に小物収納用防水ケースを配し、防水ケース本体の上部を折返し、ケース閉塞帯をトップチューブ又はダウンチューブの何れか一方を巻き込んで、防水ケース本体の折返し部１０２を幅方向に捲着固定し、重着帯でケース閉塞帯を固定し、両端に雄面ファスナーを有する固定帯を、前記ダウンチューブ又はトップチューブの何れか他方を巻き込んで、当該固定帯の両端をケース閉塞帯に係着することによって、小物収納用防水ケースが十分な防水性を維持できる状態で、確実に固定することができる。
【００２１】
また、万一、自転車運転時に路面等から受ける衝撃や、転倒若しくは他物との衝突等によって、小物収納用防水ケースに衝撃が及ぶ場合であっても、ケース閉塞帯及び固定帯が撓むことによって、当該衝撃を吸収することができるため、収納される小物の破損等の危険性を大きく低減することができる。
【００２２】
更に、当該取付構造によれば、小物収納用防水ケースは、トップチューブの下に配置されることで、自転車乗車時には雨に直接晒され難く、且つ、自転車の走行時の風によって付着した水滴を除去しやすいため、雨天時の防水性能をより一層向上させることができる。
【００２３】
そして、請求項６に記載したように、固定帯は両端に雄面ファスナーを設けた把手帯とすることによって、歩行時には把手帯としてその両端をケース閉塞帯に取付けて把手として使用できる。また、自転車に取付ける際には固定帯として使用することができ、非常に使い勝手が良い。
【発明を実施するための最良の形態】
【００２４】
本発明は、上端に開口部を備える袋状の防水ケース本体を備え、該防水ケース本体の上部を折返して開口部を閉塞する小物収納ケースにおいて、防水ケース本体の折り返した上部を幅方向に捲着固定するケース閉塞帯と、前記ケース閉塞帯を固定する重着帯とを備え、防水ケース本体の開口部幅は、ケース内幅より小さくし両端に雄面ファスナーを設けた把手帯を備え、捲着状態のケース閉塞帯の雌面ファスナー若しくはパイル地に対して前記両端の雄面ファスナーが係脱自在な小物収納用防水ケースとしたことによって、不用意な開口部の開口を阻止し、携帯性、防水性に優れた、小物収納用防水ケースを実現した。
【実施例】
【００２５】
図１は本発明の実施例に係る小物収納用防水ケースの解放状態を示す正面図、図２は同実施例に係る小物収納用防水ケースの解放状態を示す背面図、図３は同実施例に係る小物収納用防水ケースの解放状態を示す平面図、図４は同実施例に係る小物収納用防水ケースの解放状態を示す底面図、図５は同実施例に係る小物収納用ケースの解放状態を示す右側面図、図６は同実施例に係る小物収納用ケースの解放状態を示す左側面図、図７は同実施例に係る防水ケース本体を折返しラインから谷折りして上部を閉じた状態を示す斜視図、図８は同実施例に係る防水ケース本体の上部に対してケース閉塞帯を捲着した状態を示す説明図、図９は同実施例に係る小物収納用ケースの重着帯を、防水ケース本体に捲着した状態を示す正面図、図１０は図９の背面図、図１１は図９の右側面図、図１２は図９の左側面図、図１３は図９の平面図、図１４は図９の底面図、図１５は本発明の実施例に係る小物収納用防水ケースの把手帯を示す、平面図（イ）、正面図（ロ）、右側面図（ハ）及び底面図（ニ）、図１６は実施例に係る把手帯を備えた小物収納用防水ケースの使用状態を示す正面図（イ）、（ロ）、図１７は自転車のトップチューブを巻き込んでケース閉塞帯で防水ケース本体の開口部を閉塞した状態を示す説明図（イ）、図１８は自転車に対する取付けにおいて、重着帯でケース閉塞帯を固定した状態を示す説明図（ロ）、図１９は本発明の実施例に係る小物収納用防水ケースの自転車に対する取付構造を示す説明図（ハ）、図２０は本発明の実施例に係る小物収納用防水ケースの自転車に対する取付構造であって点灯方式のライト４のバッテリ６を収納した状態を示す説明図である。尚、図１の正面図においてケース閉塞帯、重着帯の夫々の長さ省略部分は、図面上６センチメートルである。図１５において、把手帯の背面図は正面図と同一、左側面図は右側面図と同一につき省略している。
【００２６】
本発明の実施例に係る小物収納用防水ケース１は、図１乃至図６（解放状態）、図９乃至図１４に示すように、全方位方向に伸縮性を有する防水性生地からなる袋状の防水ケース本体１０と、防水ケース本体１０に取付けられる二本の帯、即ち、ケース閉塞帯１１と重着帯１２とを備えている。
【００２７】
本実施例における防水ケース本体１０は、正面図において縦約１８０ミリメートル、幅約８０ミリメートル、厚さ約１０ミリメートル乃至１５ミリメートル程度の寸法を有する。概ね、シートを二つ折りして重なる二辺のみを固着し、上端となる一辺のみを固着せずに開口部１０１とした構成である。尚、本実施例における固着方法は、熱溶着及び縫着を併用している。
【００２８】
図３に示すように、開口部１０１近傍の縁相互の固着部分は、縁の外面相互を当接している。当該構成によって、防水ケース本体１０の開口部１０１の幅はケース内幅より小さく形成している。
そして、防水ケース本体１０の上端から約４０ミリメートル程度の位置に、折返しラインを形成する。
【００２９】
一方、ケース閉塞帯１１は、幅４０ミリメートル未満程度、長さ約３００ミリメートル程度で、長手方向に伸縮性を有する。縫着側を基端１１０とし、係着側を先端１１１とする。そしてケース閉塞１１の捲着状態における外面全体は多数のループ状の繊維を有するパイル地１１２としている。また、捲着状態において先端１１１の内面には、捲着時において前記パイル地１１２に係合する多数の雄係合子を備えた雄面ファスナー１１３を設けている。
【００３０】
また、重着帯１２は、幅約２０ミリメートル、長さ約３２０ミリメートル程度で伸縮性を有しない。縫着側を基端１２０とし、係着側を先端１２１とする。捲着時において先端１２１の内面には、ケース閉塞帯１１のパイル地１１２に係合する多数の雄係合子を備えた雄面ファスナー１２２を設けている。
【００３１】
防水ケース本体１０の上部１００のうち、折返し状態における外面に、重着帯１２の基端１２０、ケース閉塞帯１１の基端１１０の順で重合、縫着し、図１に示すように、ケース閉塞帯１１は側方へ延設し、重着帯１２は上方へ延設し、前記ケース閉塞帯１１と重着帯１２が略直交する構成としている。
【００３２】
図１の正面図において、防水ケース本体１０を折返しラインＬで谷折りする。谷折りした状態を図７に示す。この状態から、防水ケース本体１０の上部１００に対してケース閉塞帯１１を捲着する（図８参照。）。ケース閉塞帯１１の先端１１１の雄面ファスナーは、ケース閉塞帯１１の外面のパイル地１１２に係着する。
【００３３】
次いで、下方向きとなった重着帯１２を、防水ケース本体１０に捲着する（図９参照。）。重着帯１２の先端１２１の雄面ファスナーは、ケース閉塞帯１１の外面のパイル地１１２に係着する。
【００３４】
以上の手順によって、防水ケース本体１０を折返しラインＬから谷折することで、開口部の防水性が確保でき、更に開口部の防水性を維持するためのケース閉塞帯１１が、重着帯１２によって確実に固定できることで、小物収納用防水ケース１は、防水機能を発揮する。
【００３５】
また、上記実施例においては、把手を構成するための把手帯１３ａを追加して設けた小物収納用防水ケースとすることができる。本実施例に係る把手帯１３ａを、図１５に示す。当該把手帯１３ａは、幅４０ミリメートル未満程度、長さ約２３０ミリメートル程度で、長手方向に伸縮性を有する。内面側の両端には雄面ファスナーを設けている。また、外面側全体は多数のループ状の繊維を有するパイル地１３０としている。把手帯は、単に手で掴む用途のみならず、リュックサック等に設けられたフック等に掛ける手段とすることもできる。
【００３６】
把手帯１３ａは内面側を内方として湾曲し、両端の雄面ファスナーを、前記小物収納用防水ケース１のケース閉塞帯１１のパイル地１１２に対して係着する。図１６に示すように、把手帯１３ａの両端は、右側面及び左側面のパイル地１１２に係着することもできるし、正面及び背面のパイル地１１２に係着することもできる（図１６参照。）。
【００３７】
以上の構成は、把手帯１３ａの雄面ファスナー１３１とケース閉塞帯１１のパイル地１１２とを脱着する方向へ負荷を何ら生じないから、前記雄面ファスナーとパイル地１１２との係合が不用意に解除されることはない。また、ケース閉塞帯１１は、伸縮性を有しない重着帯１２によって固着することで、当該ケース閉塞帯１１が把手帯１３ａによって引っ張られても、捲着状態のケース閉塞帯１１が防水ケース本体１０から外れない。
【００３８】
本実施例に係る小物収納用防水ケース１を、自転車に取付ける際の取付構造について説明する。尚、本実施例においては、自転車のうち、そのフレームの構成がトップチューブ３０及びダウンチューブ３１を有するものを対象とする。
【００３９】
自転車のトップチューブ３０とダウンチューブ３１との間に、解放状態とした小物収納用防水ケース１を配置する。そして、防水ケース本体１０内に収納物を収容した後、該防水ケース本体１０の上部１００を折返しラインＬから折返し、ケース閉塞帯１１でトップチューブ３０を巻き込んで、防水ケース本体１０の上部１００を幅方向に捲着固定する（図１７参照。）。
【００４０】
次に、下方向きとなった重着帯１２を、防水ケース本体１０に捲着する。該重着帯１２の先端１２１の雄面ファスナーを、ケース閉塞帯１１のパイル地１１２に係着固定する（図１８参照。）。
【００４１】
更に、両端に雄面ファスナーを有する固定帯１３である把手帯１３ａで、ダウンチューブ３１を巻き込み、当該把手帯１３ａの両端の雄面ファスナーを、捲着状態のケース閉塞帯１１のパイル地１１２に係着する（図１９参照。）。
【００４２】
尚、本実施例では、ケース閉塞帯１１でトップチューブ３０を巻き込み、把手帯１３ａでダウンチューブ３１を巻き込む構成としたが、本発明ではこれに限らず、ケース閉塞帯１１でダウンチューブ３１を巻き込み、把手帯１３ａでトップチューブ３０を巻き込む構成とすることもできる。しかしながら、本実施例のように、ケース閉塞帯１１で先にトップチューブ３０を巻き込む構成とすると、防水ケース本体１０がトップチューブ３０から吊り下がる状態で取付操作を進めることができるため、防水ケース本体１０を常に把持しながら取付操作を行う必要がなく、操作性において優れている。
【００４３】
本発明においては、上記実施例で、ケース閉塞帯１１、重着帯１２、把手帯１３ａの夫々について、長さ及び幅の一例を示したが、本発明はこれに限らず、長さ及び幅は自由に設定することができる。また、ケース閉塞帯１１、重着帯１２、把手帯１３ａの夫々の伸縮性についても、上記実施例のものに制限するものではないが、重着帯１２は伸縮性を有しないことでケース閉塞帯１１を確実に位置決めするから、把手帯１３ａでケース閉塞帯１１を強く引っ張っても、防水ケース本体１０から捲着状態のケース閉塞帯１１が外れることを防止する効果を有する。
【００４４】
更に、把手帯１３ａは、自転車に取付ける際の固定帯１３とすると、伸縮性を有することで、外部からの衝撃などを容易に吸収でき、自転車の車種やサイズ等によって異なるフレームの太さやトップチューブ３０とダウンチューブ３１との距離等に応じた取付が可能となる効果がある。
【００４５】
また、点灯方式のライト４等を備える自転車のバッテリ６を収納する場合には、バッテリ６はライト４との間をケーブル５で接続した構成となる。従って、バッテリ６を小物収納用防水ケース１に収納する場合には、ケーブル５は当該小物収納用防水ケース１とともに折返し、収納する。収納手順は、前記実施例に示す手順と同様である。点灯方式のライト４のバッテリ６を収納した状態を図２０に示す。
【００４６】
また、本実施例ではケース閉塞帯１１と固定帯１３において、パイル生地１１２，１３０を用いているが、これに代えて、雌面ファスナーを使用することができる。しかしながら、本実施例においては、より安価なパイル生地１１２，１３０を用いることによって、雌面ファスナーを使用する場合よりも製造コストを低減している。
【００４７】
更に、本発明において、ケース閉塞帯１１、重着帯１２、把手帯１３ａの夫々に設けた雄面ファスナー１１３，１２２，１３１は雄係合子のみならず、一部に雌係合子を備えることもできるし、雌面ファスナーは雌係合子のみならず、一部に雄係合子を備えることもできる。即ち、本発明において雄面ファスナー、雌面ファスナーのいずれについても雌雄混合面ファスナーを含む趣旨である。
【図面の簡単な説明】
【００４８】
【図１】本発明の実施例に係る小物収納用防水ケースの解放状態を示す正面図である。
【図２】本発明の実施例に係る小物収納用防水ケースの解放状態を示す背面図である。
【図３】本発明の実施例に係る小物収納用防水ケースの解放状態を示す平面図である。
【図４】本発明の実施例に係る小物収納用防水ケースの解放状態を示す底面図である。
【図５】本発明の実施例に係る小物収納用ケースの解放状態を示す右側面図である。
【図６】本発明の実施例に係る小物収納用ケースの解放状態を示す左側面図である。
【図７】本発明の実施例に係る防水ケース本体を折返しラインから谷折りして上部を閉じた状態を示す斜視図である。
【図８】本発明の実施例に係る防水ケース本体の上部に対してケース閉塞帯を捲着した状態を示す説明図である。
【図９】本発明の実施例に係る小物収納用ケースの重着帯を、防水ケース本体に捲着した状態を示す正面図である。
【図１０】本発明の実施例に係る小物収納用防水ケースの重着帯を、防水ケース本体に捲着した状態を示す背面図である。
【図１１】本発明の実施例に係る小物収納用防水ケースの重着帯を、防水ケース本体に捲着した状態を示す右側面図である。
【図１２】本発明の実施例に係る小物収納用防水ケースの重着帯を、防水ケース本体に捲着した状態を示す左側面図である。
【図１３】本発明の実施例に係る小物収納用防水ケースの重着帯を、防水ケース本体に捲着した状態を示す平面図である。
【図１４】本発明の実施例に係る小物収納用防水ケースの重着帯を、防水ケース本体に捲着した状態を示す底面図である。
【図１５】本発明の実施例に係る把手帯を示す、平面図（イ）、正面図（ロ）、右側面図（ハ）及び底面図（ニ）である。
【図１６】本発明の実施例に係る把手帯を備えた小物収納用防水ケースの使用状態を示す正面図（イ）、（ロ）である。
【図１７】自転車のトップチューブを巻き込んでケース閉塞帯で防水ケース本体の開口部を閉塞した状態を示す説明図（イ）である。
【図１８】自転車に対する取付けにおいて、重着帯でケース閉塞帯を固定した状態を示す説明図（ロ）である。
【図１９】本発明の実施例に係る小物収納用防水ケースの自転車に対する取付構造を示す説明図（ハ）である。
【図２０】本発明の実施例に係る小物収納用防水ケースの自転車に対する取付構造であって点灯方式のライト４のバッテリ６を収納した状態を示す説明図である。
【符号の説明】
【００４９】
１        小物収納用防水ケース
１０      防水ケース本体
１００    上部
１０１    開口部
１０２    折返し部
１１      ケース閉塞帯
１１０    基端
１１１    先端
１１２    パイル地
１１３    雄面ファスナー
１２      重着帯
１２０    基端
１２１    先端
１２２    雄面ファスナー
１３      固定帯
１３ａ    把手帯
１３０    パイル地
１３１    雄面ファスナー
３０      トップチューブ
３１      ダウンチューブ
４        ライト
５        ケーブル
６        バッテリ
Ｌ        折返しライン
【図１】
2006327437.tif 000003
【図２】
2006327437.tif 000004
【図３】
2006327437.tif 000005
【図４】
2006327437.tif 000006
【図５】
2006327437.tif 000007
【図６】
2006327437.tif 000008
【図７】
2006327437.tif 000009
【図８】
2006327437.tif 000010
【図９】
2006327437.tif 000011
【図１０】
2006327437.tif 000012
【図１１】
2006327437.tif 000013
【図１２】
2006327437.tif 000014
【図１３】
2006327437.tif 000015
【図１４】
2006327437.tif 000016
【図１５】
2006327437.tif 000017
【図１６】
2006327437.tif 000018
【図１７】
2006327437.tif 000019
【図１８】
2006327437.tif 000020
【図１９】
2006327437.tif 000021
【図２０】
2006327437.tif 000022